(57)【特許請求の範囲】
【請求項１】
背面に設置された光源により照明されることで情報を表示する情報表示パネル用の積層シートであって、
光透過性を有する支持体と、
前記支持体の前記光源側の面のうち、第１の領域に積層された第１の反射層と、
前記第１の反射層の前記光源側の面に積層された第１の遮光層と、
前記支持体の前記光源側の面のうち、前記第１の領域に隣接する第２の領域と、前記第１の領域に隣接し且つ前記第２の領域と離れた第３の領域に積層された光透過性着色層と、
前記支持体の前記光源と逆側の面のうち、前記第２の領域と前記第３の領域に、それぞれ積層された第２の反射層と、
前記第２の反射層の前記光源と逆側の面のうち、第２の領域に対応する領域に積層された第１の加飾層とを備え、
前記第２の反射層の前記光源と逆側の面のうち、前記第３の領域に対応する領域に積層された第２の加飾層をさらに備え、
前記第２の加飾層は、前記第３の領域のうち前記第１の領域との境界における全光線透過率が０％以上２０％以下であって、前記第３の領域の中央の部分における全光線透過率が４０％以上１００％以下であり、前記全光線透過率が前記境界から前記中央に向かって段階的に変化する、
ことを特徴とする積層シート。
【請求項２】
背面に設置された光源により照明されることで情報を表示する情報表示パネル用の積層シートであって、
光透過性を有する支持体と、
前記支持体の前記光源側の面のうち、第１の領域に積層された第１の反射層と、
前記支持体の前記光源側の面のうち、前記第１の領域に隣接する第２の領域と、前記第１の領域に隣接し且つ前記第２の領域と離れた第３の領域に積層された光透過性着色層と、
前記第１の反射層の前記光源側であって、前記第１の領域に対応する領域に積層された第１の遮光層と、
前記支持体の前記光源と逆側の面のうち、前記第２の領域と前記第３の領域に、それぞれ積層された第２の反射層と、
前記第２の反射層の前記光源と逆側の面のうち、第２の領域に対応する領域に積層された第１の加飾層とを備え、
前記第２の反射層の前記光源と逆側の面のうち、前記第３の領域に対応する領域に積層された第２の加飾層をさらに備え、
前記第２の加飾層は、前記第３の領域のうち前記第１の領域との境界における全光線透過率が０％以上２０％以下であって、前記第３の領域の中央の部分における全光線透過率が４０％以上１００％以下であり、前記全光線透過率が前記境界から前記中央に向かって段階的に変化する、
ことを特徴とする積層シート。
【請求項３】
前記第１の領域の最も広い部分の幅をｗ１とし、前記第２の領域の最も狭い部分の幅をｗ２とした時に、以下の式（１）が成り立つことを特徴とする請求項１又は２記載の積層シート。
ｗ２/ｗ１≧０．１５・・・（１）
【請求項４】
前記第１の領域の最も広い部分の幅をｗ１とし、前記第３の領域の最も狭い部分の幅をｗ３とした時に、以下の式（２）が成り立つことを特徴とする請求項１乃至３のいずれかに記載の積層シート。
ｗ３/ｗ１≧０．１５・・・（２）
【請求項５】
前記支持体の厚さをｄとし、第２の領域の最も狭い部分の幅ｗ２とした時に、以下の式（３）が成り立つことを特徴とする請求項１乃至４のいずれかに記載の積層シート。
ｄ×ｗ２≧１．００ｍｍ２・・・（３）
【請求項６】
前記支持体の厚さをｄとし、第３の領域の最も狭い部分の幅ｗ３とした時に、以下の式（４）が成り立つことを特徴とする請求項１乃至５のいずれかに記載の積層シート。
ｄ×ｗ３≧１．００ｍｍ２・・・（４）
【請求項７】
前記支持体の厚さｄが０．１ｍｍ以上５ｍｍ以下であることを特徴とする請求項１乃至６のいずれかに記載の積層シート。
【請求項８】
前記第２の反射層の前記光源と逆側の面のうち、前記第３の領域に対応する領域に積層された第２の加飾層をさらに備え、
前記第２の加飾層は全光線透過率が０％以上２０％以下の範囲で略一定であることを特徴とする請求項１乃至７のいずれかに記載の積層シート。
【請求項９】
前記第１の加飾層の全光線透過率が０％以上２０％以下であることを特徴とする請求項１乃至８のいずれかに記載の積層シート。
【請求項１０】
前記第１の遮光層の全光線透過率が０％以上２０％以下であることを特徴とする請求項１乃至９のいずれかに記載の積層シート。
【請求項１１】
前記第２の反射層における３８０〜７８０ｎｍの光線の反射率が６０％以上９５％以下であり、前記第２の反射層の全光線透過率が５％以上４０％以下であることを特徴とする請求項１乃至１０のいずれかに記載の積層シート。
【請求項１２】
前記第１の反射層における３８０〜７８０ｎｍの光線の反射率が４０％以上９８％以下であることを特徴とする請求項１乃至１１のいずれかに記載の積層シート。
【請求項１３】
前記支持体の前記光源と逆側の面のうち第１の領域の一部に全光線透過率が０％以上２０％以下の第４の加飾層をさらに備えることを特徴とする請求項１乃至１２のいずれかに記載の積層シート。
【請求項１４】
前記第１の加飾層は、第２の領域の内部に文字等意匠形状の開口部を有することを特徴とする請求項１乃至１３のいずれかに記載の積層シート。
【請求項１５】
前記光透過性着色層は、前記第１の加飾層の前記開口部の外周から０．０５０ｍｍ以上外側に外周を有する開口部を有し、前記光透過性着色層の開口部の外周が前記第２の領域と第１の領域との境界から１．０００ｍｍ以上離れていることを特徴とする請求項１４に記載の積層シート。
【請求項１６】
前記光透過性着色層は全光線透過率が２０％以上９０％以下の有彩色の層であることを特徴とする請求項１乃至１５のいずれかに記載の積層シート。
【請求項１７】
前記第２の加飾層の前記光源と逆側の面に、全光線透過率が４％以上４０％以下の第３の加飾層をさらに備えることを特徴とする請求項１乃至１６のいずれかに記載の積層シート。
【請求項１８】
前記第３の加飾層の前記光源と逆側の面に、全光線透過率が８０％以上１００％以下の透明加飾層をさらに備えることを特徴とする請求項１７に記載の積層シート。
【請求項１９】
前記支持体は、ポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至１８のいずれかに記載の積層シート。
【請求項２０】
前記支持体は、ヘイズ値が１２％以上９２％以下の樹脂であることを特徴とする請求項１乃至１８のいずれかに記載の積層シート。
【請求項２１】
前記支持体は透明樹脂層と拡散性樹脂層を含み、前記透明樹脂層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記拡散性樹脂層はヘイズ値が１２％以上９２％以下の樹脂であることを特徴とする請求項１乃至１８のいずれかに記載の積層シート。
【請求項２２】
前記支持体と前記第２の反射層の間にヘイズ値５％以上９０％以下、全光線透過率６０％以上９８％以下の第１の拡散層をさらに備えることを特徴とする請求項１乃至２１のいずれかに記載の積層シート。
【請求項２３】
前記支持体の前記光源と逆側の面のうち、第１の領域に、ヘイズ値５％以上９０％以下、全光線透過率６０％以上９８％以下の第２の拡散層をさらに備えることを特徴とする請求項１乃至２２のいずれかに記載の積層シート。
【請求項２４】
光源と、請求項１乃至２３のいずれかに記載の積層シートを少なくとも含む情報表示パネル。
【請求項２５】
前記光源が、ＬＥＤ光源であることを特徴とする請求項２４に記載の情報表示パネル。
【請求項２６】
前記光源が、エッジライト式光源と導光板からなる面光源であることを特徴とする請求項２４に記載の情報表示パネル。
【請求項２７】
請求項２４乃至２６のいずれかに記載の情報表示パネルを具備した輸送機器。
【発明の詳細な説明】
【技術分野】
【０００１】
本発明は、表裏の印刷層を備える情報表示パネル用積層シートに関し、特に遮光層および反射層の遮光性と光反射性を有する情報表示パネル用積層シート、及び情報表示パネル、及びその情報表示パネルを具備した輸送機器に関する。
【背景技術】
【０００２】
輸送機器には多くの計測器が搭載されているが、その表示機等に使用される情報表示パネルに対して、視認性のみならずデザイン性に対する要求がある。
従来の情報表示パネルとして、透明基板の背面の文字・絵柄に対応する部分に開口部を含む有彩色の遮光反射層と白色の透過性反射層が順に積層され、表面には白色層と暗色層が順に積層され、文字・絵柄に対応する部分が開口部となっている構成を有するものがある。
【０００３】
上記の情報表示パネルの構成を用いることで、ランプ非点灯時は、外光により、文字・絵柄部分が有彩色で囲まれた白色で視認され、文字・絵柄の周囲は暗色で視認される。また、ランプ点灯時は白色の透過反射層を透過し、有彩色の遮光反射層の開口部を抜けた白色の光が視認されるとともに、裏面から入射し、表面の白色層で反射した光が裏面の有彩色の遮光反射層で再度反射されて表面の開口部から抜けて有彩色の間接光状に視認される（特許文献１）。
【０００４】
しかしながら、従来の技術ではランプ点灯時に有彩の間接光と白色の直接光で文字・絵柄の立体感を表現するものの、ランプ非点灯に外光により観察する場合と色は変わらず、ランプ点灯、非点灯で色変化をつけて表現することができなかった。 
【先行技術文献】
【特許文献】
【０００５】
【特許文献１】実開平４−１２０９９０号
【発明の概要】
【発明が解決しようとする課題】
【０００６】
本発明は光源の点灯により、文字・絵柄等の外周部から漏れる間接光を観察者が視認することで文字・絵柄等に立体感を生じさせるとともに、光源の非点灯時との色変化をつけて文字・絵柄を美しく表現することを課題とする。 
【課題を解決するための手段】
【０００７】
本発明は、上記課題を解決するために次のような構成を備えている。
請求項１に記載の発明は、
背面に設置された光源により照明されることで情報を表示する情報表示パネル用の積層シートであって、
光透過性を有する支持体と、
前記支持体の前記光源側の面のうち、第１の領域に積層された第１の反射層と、
前記第１の反射層の前記光源側の面に積層された第１の遮光層と、
前記支持体の前記光源側の面のうち、前記第１の領域に隣接する第２の領域と、前記第１の領域に隣接し且つ前記第２の領域と離れた第３の領域に積層された光透過性着色層と、
前記支持体の前記光源と逆側の面のうち、前記第２の領域と前記第３の領域に、それぞれ積層された第２の反射層と、
前記第２の反射層の前記光源と逆側の面のうち、第２の領域に対応する領域に積層された第１の加飾層とを備え、
前記第２の反射層の前記光源と逆側の面のうち、前記第３の領域に対応する領域に積層された第２の加飾層をさらに備え、
前記第２の加飾層は、前記第３の領域のうち前記第１の領域との境界における全光線透過率が０％以上２０％以下であって、前記第３の領域の中央の部分における全光線透過率が４０％以上１００％以下であり、前記全光線透過率が前記境界から前記中央に向かって段階的に変化する、
ことを特徴とする積層シートである。
【０００８】
請求項２に記載の発明は、
背面に設置された光源により照明されることで情報を表示する情報表示パネル用の積層シートであって、
光透過性を有する支持体と、
前記支持体の前記光源側の面のうち、第１の領域に積層された第１の反射層と、
前記支持体の前記光源側の面のうち、前記第１の領域に隣接する第２の領域と、前記第１の領域に隣接し且つ前記第２の領域と離れた第３の領域に積層された光透過性着色層と、
前記第１の反射層の前記光源側であって、前記第１の領域に対応する領域に積層された第１の遮光層と、
前記支持体の前記光源と逆側の面のうち、前記第２の領域と前記第３の領域に、それぞれ積層された第２の反射層と、
前記第２の反射層の前記光源と逆側の面のうち、第２の領域に対応する領域に積層された第１の加飾層とを備え、
前記第２の反射層の前記光源と逆側の面のうち、前記第３の領域に対応する領域に積層された第２の加飾層をさらに備え、
前記第２の加飾層は、前記第３の領域のうち前記第１の領域との境界における全光線透過率が０％以上２０％以下であって、前記第３の領域の中央の部分における全光線透過率が４０％以上１００％以下であり、前記全光線透過率が前記境界から前記中央に向かって段階的に変化する、
ことを特徴とする積層シートである。
【０００９】
請求項３に記載の発明は、
前記第１の領域の最も広い部分の幅をｗ１とし、前記第２の領域の最も狭い部分の幅をｗ２とした時に、以下の式（１）が成り立つことを特徴とする請求項１又は２記載の積層シート。
ｗ２/ｗ１≧０．１５・・・（１）
【００１０】
請求項４に記載の発明は、
前記第１の領域の最も広い部分の幅をｗ１とし、前記第３の領域の最も狭い部分の幅をｗ３とした時に、以下の式（２）が成り立つことを特徴とする請求項１乃至３のいずれかに記載の積層シート。
ｗ３/ｗ１≧０．１５・・・（２）
【００１１】
請求項５に記載の発明は、
前記支持体の厚さをｄとし、第２の領域の最も狭い部分の幅ｗ２とした時に、以下の式（３）が成り立つことを特徴とする請求項１乃至４のいずれかに記載の積層シートである。
ｄ×ｗ２≧１．００ｍｍ２・・・（３）
【００１２】
請求項６に記載の発明は、
前記支持体の厚さをｄとし、第３の領域の最も狭い部分の幅ｗ３とした時に、以下の式（４）が成り立つことを特徴とする請求項１乃至５のいずれかに記載の積層シートである。
ｄ×ｗ３≧１．００ｍｍ２・・・（４）
【００１３】
請求項７に記載の発明は、
前記支持体の厚さｄが０．１ｍｍ以上５ｍｍ以下であることを特徴とする請求項１乃至６のいずれかに記載の積層シートである。
【００１４】
請求項８に記載の発明は、
前記第２の反射層の前記光源と逆側の面のうち、前記第３の領域に対応する領域に積層された第２の加飾層をさらに備え、
前記第２の加飾層は全光線透過率が０％以上２０％以下の範囲で略一定であることを特徴とする請求項１乃至７のいずれかに記載の積層シートである。
【００１６】
請求項９に記載の発明は、
前記第１の加飾層の全光線透過率が０％以上２０％以下であることを特徴とする請求項１乃至８のいずれかに記載の積層シートである。
【００１７】
請求項１０に記載の発明は、
前記第１の遮光層の全光線透過率が０％以上２０％以下であることを特徴とする請求項１乃至９のいずれかに記載の積層シートである。
【００１８】
請求項１１に記載の発明は、
前記第２の反射層における３８０〜７８０ｎｍの光線の反射率が６０％以上９５％以下であり、前記第２の反射層の全光線透過率が５％以上４０％以下であることを特徴とする請求項１乃至１０のいずれかに記載の積層シートである。
【００１９】
請求項１２に記載の発明は、
前記第１の反射層における３８０〜７８０ｎｍの光線の反射率が４０％以上９８％以下であることを特徴とする請求項１乃至１１のいずれかに記載の積層シートである。
【００２０】
請求項１３に記載の発明は、
前記支持体の前記光源と逆側の面のうち第１の領域の一部に全光線透過率が０％以上２０％以下の第４の加飾層をさらに備えることを特徴とする請求項１乃至１２のいずれかに記載の積層シートである。
【００２１】
請求項１４に記載の発明は、
前記第１の加飾層は、第２の領域の内部に文字等意匠形状の開口部を有することを特徴とする請求項１乃至１３のいずれかに記載の積層シートである。
【００２２】
請求項１５に記載の発明は、
前記光透過性着色層は、前記第１の加飾層の前記開口部の外周から０．０５０ｍｍ以上外側に外周を有する開口部を有し、前記光透過性着色層の開口部の外周が前記第２の領域と第１の領域との境界から１．０００ｍｍ以上離れていることを特徴とする請求項１４に記載の積層シートである。
【００２３】
請求項１６に記載の発明は、
前記光透過性着色層は全光線透過率が２０％以上９０％以下の有彩色の層であることを特徴とする請求項１乃至１５のいずれかに記載の積層シートである。
【００２４】
請求項１７に記載の発明は、
前記第２の加飾層の前記光源と逆側の面に、全光線透過率が４％以上４０％以下の第３の加飾層をさらに備えることを特徴とする請求項１乃至１６に記載の積層シートである。
【００２５】
請求項１８に記載の発明は、
前記第３の加飾層の前記光源と逆側の面に、全光線透過率が８０％以上１００％以下の透明加飾層をさらに備えることを特徴とする請求項１７に記載の積層シートである。
【００２６】
請求項１９に記載の発明は、
前記支持体は、ポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至１８のいずれかに記載の積層シートである。
【００２７】
請求項２０に記載の発明は、
前記支持体は、ヘイズ値が１２％以上９２％以下の樹脂であることを特徴とする請求項１乃至１８のいずれかに記載の積層シートである。
【００２８】
請求項２１に記載の発明は、
前記支持体は透明樹脂層と拡散性樹脂層を含み、前記透明樹脂層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記拡散性樹脂層はヘイズ値が１２％以上９２％以下の樹脂であることを特徴とする請求項１乃至１８のいずれかに記載の積層シートである。
【００２９】
請求項２２に記載の発明は、
前記支持体と前記第２の反射層の間にヘイズ値５％以上９０％以下、全光線透過率６０％以上９８％以下の第１の拡散層をさらに備えることを特徴とする請求項１乃至２１のいずれかに記載の積層シートである。
【００３０】
請求項２３に記載の発明は、
前記支持体の前記光源と逆側の面のうち、第１の領域に、ヘイズ値５％以上９０％以下、全光線透過率６０％以上９８％以下の第２の拡散層をさらに備えることを特徴とする請求項１乃至２２のいずれかに記載の積層シートである。
【００３１】
請求項２４に記載の発明は、
光源と、請求項１乃至２３のいずれかに記載の積層シートを少なくとも含む情報表示パネルである。
【００３２】
請求項２５に記載の発明は、
前記光源が、ＬＥＤ光源であることを特徴とする請求項２４に記載の情報表示パネルである。
【００３３】
請求項２６に記載の発明は、
前記光源が、エッジライト式光源と導光板からなる面光源であることを特徴とする請求項２４に記載の情報表示パネルである。
【００３４】
請求項２７に記載の発明は、
請求項２４乃至２６のいずれかに記載の情報表示パネルを具備した輸送機器である。
【発明の効果】
【００３５】
本発明は光源の射出光が反射層で拡散反射され、文字・絵柄等の外周部である第１の領域から間接光として観察者に視認されるため、文字・絵柄等に立体感を生じさせる効果がある。また、光源射出光が光透過性着色層を透過して、間接光として視認されるため、光源の点灯時と非点灯時とで色の変化をつけて文字・絵柄を美しく表現することができる効果がある。
【図面の簡単な説明】
【００３６】
【図１】本発明の第１の実施形態に係る積層シートの断面図である。
【図２】本発明の第２の実施形態に係る積層シートの断面図である。
【図３】本発明の第３の実施形態に係る積層シートの断面図である。
【図４】本発明の第４の実施形態に係る積層シートの断面図である。
【発明を実施するための形態】
【００３７】
以下に図面を参照して、本発明に係る情報表示パネルの好適な実施の形態について詳細に説明する。
【００３８】
図１は、本発明の第１の実施形態に係る情報表示パネル用の積層シート１８をシート延在方向に垂直な面で切った断面図である。（Ａ）は積層の順序をわかりやすくするために各層を分離してあらわしたものであり、（Ｂ）は実際に積層された状態を表したものである。
図１に示すように、積層シート１８は、第１の領域１と、第１の領域１に隣接し且つ互いに離れた、第２の領域２、第３の領域３に分かれている。
積層シート１８の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図１において、観察者２１は光透過性の支持体４の一方の面側から目視し、光源１９は支持体４の他方の面側に設置される。
支持体４の光源側の面の所定の領域に第１の反射層７、第１の遮光層８、光透過性着色層９が積層され、支持体４の観察者２１側の面の所定の領域に第２の反射層５、第１の加飾層６、第２の加飾層１０、第４の加飾層１３が積層されている。
【００３９】
支持体４は、透明樹脂のみで構成するか、又は拡散性樹脂のみで構成するか、又は透明樹脂層と拡散性樹脂層との積層によって構成することができる。
ここで、支持体４のヘイズ値は１２％以上９２％以下であることが望ましい。
支持体４のヘイズ値が１２％未満の場合、支持体４に入射して拡散反射して第１の領域１に抜ける光が減少するために、間接光の輝度が低下するという弊害があるからである。
【００４０】
支持体４を透明樹脂のみで構成する場合、ポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを利用することができる。この時の支持体４の厚さは第２の反射層５で拡散反射された光を多く第１の領域１に進ませるために０．１ｍｍ以上が好ましく、情報表示機器筐体内の空間的制約を受けないために５ｍｍ以下が好ましい。また、透明樹脂のみで構成すると支持体４における光量の損失を少なく出来るため、光源１９の点灯時により明るく文字・絵柄を表示することができる。
【００４１】
支持体４を拡散性樹脂のみで構成する場合、球形または無定形の形状であり有機又は無機からなる光拡散性微粒子を含んだポリカーボネート、ＰＳ、ＭＳ、アクリルのうち少なくともいずれかを含む有機系樹脂を利用することができる。この時の支持体４の厚さは第２の反射層５で拡散反射された光を多く第１の領域１に進ませるために０．１ｍｍ以上が好ましく、情報表示機器筐体内の空間的制約を受けないために５ｍｍ以下が好ましい。また、拡散性樹脂のみで構成することにより、光源１９からの直接入射光の一部が拡散性樹脂で拡散されて第１の領域１の観察者２１の方向に出るために間接光の光量を高められる。
【００４２】
支持体４を透明樹脂層と拡散性樹脂層との積層構成にする場合、透明樹脂層にはポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを、拡散性樹脂層には球形または無定形の形状であり有機又は無機からなる光拡散性微粒子を含んだポリカーボネート、ポリスチレン、メタクリル・スチレン共重合体、アクリルのうち少なくともいずれかを含む有機系樹脂を利用することができる。この時の支持体４の厚さは第２の反射層５で拡散反射された光を多く第１の領域１に進ませるために０．１ｍｍ以上が好ましく、情報表示機器筐体内の空間的制約を受けないために５ｍｍ以下が好ましい。また、拡散性樹脂層を含む構成であることにより、光源１９からの直接入射光の一部が拡散性樹脂層で拡散されて第１の反射層７でさらに拡散反射され、第１の領域１の観察者２１の方向に出るために間接光の光量を高められる。
ここで、拡散性樹脂層はヘイズ値が１２％以上９２％以下の樹脂であることが望ましい。拡散性樹脂層のヘイズ値が１２％未満の場合、支持体に入射して拡散反射して、第１の領域１に抜ける光が減少するために、間接光の輝度が低下するという弊害があるからである。
【００４３】
次に支持体４の観察者２１側の積層構造について説明する。
支持体４の観察者２１側の面のうち、第２の領域２及び第３の領域３に第２の反射層５が積層される。
なお、前述したように第２、第３の領域と離れた他の領域をさらに設ける場合は、その領域にも反射層５が積層される。
第２の反射層５はスクリーン印刷によって設けることができる。特にスクリーン印刷に限定することなく、凸版印刷、フレキソ印刷、オフセット印刷、グラビア印刷、インクジェット等を用いることができる。
第２の反射層５は入射した光が所定の確率で拡散反射する効果を有するものである。
第２の反射層５には白色インキを用いるのが望ましいが、光の反射効果、透過効果があれば白色インキに限らない。厚みに制限は無いが、５μｍ〜３０μｍにすると反射効果が出やすい。
また、第２の反射層５における３８０〜７８０ｎｍの光線の反射率は６０％以上９５％以下であり、第２の反射層５の全光線透過率は５％以上４０％以下であることが望ましい。
第２の反射層５の反射率が６０％未満であった場合、第２の反射層５で反射される間接光の輝度が低下し、第１の領域１と第２の領域２の境界における立体感が損なわれるからである。また、第２の反射層５の全光線透過率が５％未満であると、第１の加飾層６に文字等意匠形状の開口部が設けられた場合にその部分の輝度が低く、文字等意匠形状が視認されないからである。一方、全光線透過率が４０％以上であると反射率が低下して、前述のように間接光の輝度低下による第１の領域と第２の領域の境界における立体感の低下が起こるためである。
光源１９が点灯した際には第２の反射層５で拡散反射した光が第１の領域１で間接光として視認される。この時、第２の領域２及び第３の領域３の第２の反射層５の幅が広い方が第１の領域１に向けて拡散反射される光が多いために輝度が高くなり、第１の領域１の立体感が高まる。また、第２の領域２の内部に文字等意匠形状が設けられる場合、第２の反射層５において拡散反射されずに透過した光が後述する第１の加飾層６の開口部を抜けることにより、観察者２１から直接光として文字等意匠形状が視認される。
なお、支持体４と第２の反射層５の間にヘイズ値５％以上９０％以下、全光線透過率６０％以上９８％以下の第１の拡散層をさらに備えてもよい。この数値範囲は、第１の拡散層のヘイズ値が５％未満の場合、第１の拡散層への入射光を第１の領域１へ拡散反射する効果が十分に得られず、第１の拡散層の全光線透過率が６０％未満の場合、第２の反射層５は入射する光量が低下することにより、第１の領域１への反射光の輝度が低下して立体感が損なわれることを考慮したものである。
【００４４】
第２の領域２において第２の反射層５の観察者２１側の面に第１の加飾層６が積層される。
第１の加飾層６はスクリーン印刷によって設けることができる。特にスクリーン印刷に限定することなく、凸版印刷、フレキソ印刷、オフセット印刷、グラビア印刷、インクジェット等を用いることができる。第１の加飾層６には黒色インキを用いるのが望ましいが、遮光効果があれば黒色インキに限らない。厚みに制限は無いが、５μｍ〜３０μｍにすると遮光効果が出やすい。
また、第１の加飾層６の全光線透過率は、０％以上２０％以下の範囲で略一定であることが望ましい。
全光線透過率が２０％より大きい場合、第２の領域２における第２の反射層５の透過光を遮光できず、第１の領域１と第２の領域２との間のコントラストが低下し、立体感が損なわれるという弊害があるからである。
第１の加飾層６は第２の領域２における絵柄を表すとともに、第２の反射層５で拡散反射されずに透過する光源１９の光を遮光する。また、第２の領域２の内部に文字等意匠形状が設けたい場合には、第１の加飾層６に文字等意匠形状の開口部を設けてもよい。第２の反射層５において拡散反射されずに透過した光が第１の加飾層６が積層されていない開口部を抜けることにより、観察者２１から文字等意匠形状が直接光により視認される。
なお、この開口部は必ず設けなければならないわけではなく、デザイン上、必要がある場合に設けるものである。
【００４５】
第３の領域３において第２の反射層５の観察者２１側に第２の加飾層１０を積層してもよい。第２の加飾層１０はスクリーン印刷によって設けることができる。特にスクリーン印刷に限定することなく、凸版印刷、フレキソ印刷、オフセット印刷、グラビア印刷、インクジェット等を用いることができる。第２の加飾層１０には黒色インキを用いるのが望ましいが、遮光効果があれば黒色インキに限らない。厚みに制限は無いが、５μｍ〜３０μｍにすると遮光効果が出やすい。
また、第２の加飾層１０の全光線透過率は、０％以上２０％以下の範囲で略一定であることが望ましい。全光線透過率が２０％より大きい場合、第３の領域３における第２の反射層５の透過光を遮光できず、第１の領域１と第３の領域３との間のコントラストが低下し、立体感が損なわれるという弊害があるからである。
第２の加飾層１０は第３の領域３における絵柄を表すとともに、第２の反射層５で拡散反射されずに透過する光源１９の光を遮光する。
なお、第２の反射層５が設けられない第１の領域１において、ヘイズ値５％以上９０％以下、全光線透過率６０％以上９８％以下の第２の拡散層をさらに備えてもよい。この数値範囲は、第２の拡散層のヘイズ値が５％未満の場合、第２の拡散層への入射光を第１の領域１へ拡散反射する効果が十分に得られず、第２の拡散層の全光線透過率が６０％未満の場合、第１の反射層７で反射して視認される間接光の輝度が下がって立体感が損なわれることを考慮したものである。
【００４６】
次に支持体４の光源１９側の積層構造について説明する。
支持体４の光源１９側の第１の領域１に第１の反射層７を設ける。
第１の反射層７はスクリーン印刷によって設けることができる。特にスクリーン印刷に限定することなく、凸版印刷、フレキソ印刷、オフセット印刷、グラビア印刷、インクジェット等を用いることができる。
第１の反射層７は入射した光が所定の確率で拡散反射する効果を有するものである。
第１の反射層７には白色インキを用いるのが望ましいが、光の反射効果があれば白色インキに限らない。厚みに制限は無いが、５μｍ〜３０μｍにすると反射効果が出やすい。
また、第１の反射層７における３８０〜７８０ｎｍの光線の反射率は４０％以上９８％以下であることが望ましい。
第１の反射層７における反射率が４０％未満であった場合に、第１の反射層７で反射される間接光の輝度が低下し、立体感が損なわれるという弊害があるからである。
光源１９が点灯した際には第２の反射層５で反射した光が、第１の反射層７で再反射して第１の領域１の観察者２１側に抜けることにより、立体感を持たせる。
【００４７】
第１の領域において、第１の反射層７の光源１９側に第１の遮光層８を積層する。
第１の遮光層８はスクリーン印刷によって設けることができる。特にスクリーン印刷に限定することなく、凸版印刷、フレキソ印刷、オフセット印刷、グラビア印刷、インクジェット等を用いることができる。
第１の遮光層８には黒色インキを用いるのが望ましいが、遮光効果があれば黒色インキに限らない。厚みに制限は無いが、５μｍ〜３０μｍにすると遮光効果が出やすい。
第１の遮光層８の全光線透過率は０％以上２０％以下であることが望ましい。第１の遮光層８の全光線透過率が２０％より大きい場合、第１の遮光層８の入射光を遮光できず、第１の領域において直接光が視認されるために間接光の視認性が低下し立体感が損なわれるという弊害があるからである。
光源が点灯した際に第１の遮光層８が遮光するため、直接光が第１の領域１を透過しない。それにより、第２の領域２及び第３の領域３の第２の反射層５で反射された間接光の第１の領域１における視認性が高められ、文字・絵柄等が美しく表示される。
【００４８】
第１の遮光層８が積層されていない第２及び第３の領域において、支持体４の光源側に光透過性着色層９を設ける。特に第２及び第３の領域だけに限定することはなく、製造上の利便性を考慮し、図１（Ｂ）のように、第１の遮光層８も含め全体に積層されてもかまわない。
光透過性着色層９はスクリーン印刷によって設けることができる。特にスクリーン印刷に限定することなく、凸版印刷、フレキソ印刷、オフセット印刷、グラビア印刷、インクジェット等を用いることができる。
光透過性着色層９には光透過性のある有彩色のインキが用いられるのが望ましいが、光透過性のある有彩色の層を設けられるのであればこれに限らない。
また、光透過性着色層９は全光線透過率が２０％以上９０％以下であることが望ましい。光透過性着色層９の全光線透過率が２０％未満の場合、第２の反射層５に入射して反射され第１の領域で視認される間接光の輝度が低くなることから立体感が損なわれるという弊害があるからである。
光源が点灯した際に光透過性着色層９を透過した光が第２の反射層５、第１の反射層７で反射して第１の領域１で間接光として視認されるため、間接光は光透過性着色層９の色に依存する。光透過性着色層９を任意の色にすることにより、文字・絵柄等が美しく表示される。
また、第２の領域２の内部に文字等意匠形状が設けられる場合、光透過性着色層９の文字等意匠形状に対応する部分よりやや大きい領域に開口部を設けることができる。光透過性着色層９に開口部を設けると、光源点灯時に直接光が光透過性着色層９を通らないため、観察者２１から文字等意匠形状が第２の反射層に依存する白色の直接光として視認される。ここで、光透過性着色層９の開口部を文字等意匠形状よりやや大きくするのは、光透過性着色層９を透過した光が文字等意匠形状の端部へ干渉することを防ぐためである。
具体的には、光透過性着色層９の開口部は、第１の加飾層６の開口部の外周から０．０５０ｍｍ以上外側に外周を有し、光透過性着色層９の開口部の外周が第２の領域２と第１の領域１との境界から１．０００ｍｍ以上離れているのが望ましい。
光透過性着色層９の開口部が第１の加飾層の開口部の外周から０．０５０ｍｍ以上外側にない場合、第１の加飾層６の開口部から視認される光が、白色光でなく光透過性着色層９を透過した有彩色の光として視認されてしまうという弊害があるからである。なお、デザイン上、第１の加飾層６の開口部から視認される光が有彩色でよい場合は、この限りではない。
また、光透過性着色層９の開口部の外周が第２の領域と第１の領域の境界から１．０００ｍｍ以上離れていない場合、光透過性着色層９の開口部から第２の反射層に入射して第１の領域に反射される間接光が有彩色でなくなるという弊害があるからである。
なお、この開口部は必ず設けなければならないわけではなく、デザイン上、光源点灯時の文字等意匠形状が光透過性着色層９の色に依存する必要があるのであれば開口部を設ける必要はない。
【００４９】
支持体４の観察者２１側の第１の領域１の一部に第４の加飾層１３を設ける。
なお、図１（Ａ）において、積層の順序、種類をわかりやすくするため、加飾層１３を第１、第２の加飾層と同じ段に表示しているが、実際は（Ｂ）のように支持体４の観察者２１側の面に積層されている。
第４の加飾層１３はスクリーン印刷によって設けることができる。特にスクリーン印刷に限定することなく、凸版印刷、フレキソ印刷、オフセット印刷、グラビア印刷、インクジェット等を用いることができる。
第４の加飾層１３には黒色インキを用いるのが望ましいが、遮光効果があれば黒色インキに限らない。厚みに制限は無いが、５μｍ〜３０μｍにすると遮光効果が出やすい。
また、第４の加飾層１３の全光線透過率は０％以上２０％以下であることが望ましい。
第４の加飾層１３の全光線透過率が２０％より大きい場合に、第４の加飾層１３の透過光が視認され、第１の領域における第４の加飾層のない部分とのコントラストが低下し、第４の加飾層１３の視認性が低下するという弊害があるからである。
光源が点灯した際に第１の領域１には間接光が広がるが、第１の領域１の一部に第４の加飾層１３があるためにその部分は遮光され、絵柄として視認される。第４の加飾層１３はデザイン上必要があれば設けることができ、第４の加飾層１３が無くても情報表示パネル２０における他の機能には影響がない。
【００５０】
光源１９からの光は、積層シート１８の入射面より光透過性着色層９に入射する。光透過性着色層９を透過した光は第１の遮光層８及び第１の反射層７が積層されていない第２、第３の領域から支持体４を通り、第２の反射層５に入射した光の一部が第２の反射層５で反射される。その光は支持体４内を透過し、第１の反射層７で反射され、支持体４内を観察者２１に向けて抜ける。光源１９からの直接光は文字意匠形状の部分を除き、第１の加飾層６及び第１の遮光層８、第２の加飾層１０で遮光されるために視認されない。したがって、第１の領域１において、第２の領域２と第３の領域３を縁取りしたような間接光が認識されるため、第１の領域１に立体感が生じる。間接光の成分は、支持体４に拡散性を持たせたり、支持体４と遮光層の内側に光を散乱反射する層を設けたりすることで強くすることが出来る。
【００５１】
図２は、本発明の第２の実施形態に係る情報表示パネル用の積層シート１８をシート延在方向に垂直な面で切った断面図である。（Ａ）は積層の順序をわかりやすくするために各層を分離してあらわしたものであり、（Ｂ）は実際に積層された状態を表したものである。
図２に示すように、積層シート１８は、第１の領域１と、第１の領域１に隣接し且つ互いに離れた、第２の領域２、第３の領域３に分かれている。
積層シート１８の延在面上における第一乃至第１の領域の形状により絵柄等の意匠形状が構成されている。
なお、第２、第３の領域と離れた他の領域がさらに設けられていても構わない。その場合、第１の領域は、さらに設けた領域とも隣接する配置となる。
図２において、観察者２１は支持体４の一方の面側から目視し、光源１９は支持体４の他方の面側に設置される。
支持体４の光源側の面の所定の領域に第１の反射層７、光透過性着色層９、第１の遮光層８が積層され、支持体４の観察者２１側の面の所定の領域に第２の反射層５、第１の加飾層６、第２の加飾層１０、第４の加飾層１３が積層されている。
【００５２】
支持体４の構成、材料、作成方法、効果は、前述した第１の実施形態の場合と同様である。
【００５３】
支持体４の観察者２１側の面のうち、第２の領域２及び第３の領域３に第２の反射層５が積層される。
なお、前述したように第２、第３の領域と離れた他の領域をさらに設ける場合は、その領域にも反射層５が積層される。
第２の反射層５の材料、作成方法、効果は、前述した第１の実施形態の場合と同様である。
また、第２の領域２の内部に文字等意匠形状が設けられる場合、第２の反射層５において拡散反射されずに透過した光が後述する第１の加飾層６の開口部を抜けることにより、観察者２１から直接光として文字等意匠形状が視認される。
【００５４】
第２の領域２において第２の反射層５の観察者２１側の面に第１の加飾層６が積層される。
また、第２の領域２の内部に文字等意匠形状が設けたい場合には、第１の加飾層６に文字等意匠形状の開口部を設けてもよい。
なお、この開口部は必ず設けなければならないわけではなく、デザイン上、必要がある場合に設けるものである。
第３の領域３において第２の反射層５の観察者２１側に第２の加飾層１０が積層される。
第１の加飾層６、第２の加飾層１０の材料、作成方法、効果は、前述した第１の実施形態の場合と同様である。
【００５５】
支持体４の光源側の第１の領域１に第１の反射層７を設ける。
第１の反射層７の材料、作成方法、効果は、前述した第１の実施形態の場合と同様である。
【００５６】
第１の反射層７が積層されていない第２及び第３の領域において、支持体４の光源側に光透過性着色層９を設ける。特に第２及び第３の領域だけ限定することはなく、製造上の利便性を考慮し、図２（Ｂ）のように、第１の反射層７も含め全体に積層されてもかまわない。
また、第２の領域２の内部に文字等意匠形状が設けられる場合、光透過性着色層９の文字等意匠形状に対応する部分よりやや大きい領域に開口部を設けることができる。
なお、この開口部は必ず設けなければならないわけではなく、デザイン上、光源点灯時の文字等意匠形状が光透過性着色層９の色に依存する必要があるのであれば開口部を設ける必要はない。
光透過性着色層９の材料、作成方法、効果は、前述した第１の実施形態の場合と同様である。
【００５７】
支持体４の光源側の第２、第３の領域を含む領域に光透過性着色層９を積層後、第１の反射層７に対応する部分、即ち第１の領域１に第１の遮光層８を積層する。第１の遮光層８の材料、作成方法、効果は、前述した第１の実施形態の場合と同様である。
【００５８】
支持体４の観察者２１側の第１の領域１の一部に第４の加飾層１３を設ける。
なお、図２（Ａ）において、積層の順序、種類をわかりやすくするため、加飾層１３を第１、第２の加飾層と同じ段に表示しているが、実際は（Ｂ）のように支持体４の観察者２１側の面に積層されている。
第４の加飾層１３の材料、作成方法、効果は、前述した第１の実施形態の場合と同様である。
【００５９】
光源１９からの光は、積層シート１８の入射面のうち、第１の遮光層８が積層されていない第２、第３の領域から光透過性着色層９に入射する。
光透過性着色層９を透過した光は第１の反射層７が積層されていない第２、第３の領域から支持体４を通り、第２の反射層５に入射した光の一部が第２の反射層５で反射される。その光は支持体４内を透過し、第１の反射層７で反射され、支持体４内を観察者２１に向けて抜ける。光源１９からの直接光は文字意匠形状の部分を除き、第１の加飾層６及び第１の遮光層８、第２の加飾層１０で遮光されるために視認されない。したがって、第１の領域１において、第２の領域２と第３の領域３を縁取りしたような間接光が認識されるため、第１の領域１に立体感が生じる。間接光の成分は、支持体４に拡散性を持たせたり、支持体４と遮光層の内側に光を散乱反射する層を設けたりすることで強くすることが出来る。
【００６０】
図３は、本発明の第３の実施形態に係る情報表示パネル用の積層シート１８をシート延在方向に垂直な面で切った断面図である。図３は積層の順序をわかりやすくするために各層を分離してあらわしたものであり、実際に積層された状態は、図１（Ｂ）と同様である。
図３に示すように、積層シート１８は、第１の領域１と、第１の領域１に隣接し且つ互いに離れた、第２の領域２、第３の領域３に分かれている。
積層シート１８の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図３において、観察者２１は支持体４の一方の面側から目視し、光源１９は支持体４の他方の面側に設置される。
支持体４の光源側の面の所定の領域に第１の反射層７、第１の遮光層８、光透過性着色層９が積層され、支持体４の観察者２１側の面の所定の領域に第２の反射層５、第１の加飾層６、第２の加飾層１０、第３の加飾層１１、透明加飾層１２、第４の加飾層１３が積層さている。
【００６１】
支持体４の構成、材料、作成方法、効果は、前述した第１の実施形態の場合と同様である。
【００６２】
支持体４の観察者２１側の面のうち、第２の領域２及び第３の領域３に第２の反射層５が積層される。
なお、前述したように第２、第３の領域と離れた他の領域をさらに設ける場合は、その領域にも反射層５が積層される。
第２の反射層５の材料、作成方法、効果は、前述した第１の実施形態の場合と同様である。
また、第２の領域２の内部に文字等意匠形状が設けられる場合、第２の反射層５において拡散反射されずに透過した光が後述する第１の加飾層６の開口部を抜けることにより、観察者２１から直接光として文字等意匠形状が視認される。
【００６３】
第２の領域２において第２の反射層５の観察者２１側の面に第１の加飾層６が積層される。
また、第２の領域２の内部に文字等意匠形状が設けたい場合には、第１の加飾層６に文字等意匠形状の開口部を設けてもよい。
なお、この開口部は必ず設けなければならないわけではなく、デザイン上、必要がある場合に設けるものである。
第１の加飾層６、の材料、作成方法、効果は、前述した第１の実施形態の場合と同様である。
【００６４】
第３の領域３において第２の反射層５の観察者２１側に第２の加飾層１０が積層される。
第２の加飾層１０は第１の領域１との境界で最も全光線透過率が低く遮光性を持ち、第１の領域１との境界から離れるに従い段階的に全光線透過率が高くなり光透過性を持つようになる。
第２の加飾層１０はオフセット印刷によって設けることができる。特にスクリーン印刷に限定することなく、凸版印刷、フレキソ印刷、スクリーン印刷、グラビア印刷、インクジェット等を用いることができる。第２の加飾層１０には黒色インキを用いるのが望ましいが、遮光部分と光透過部分の階調表現をすることができるのであれば黒色インキに限らない。厚みに制限は無いが、５μｍ〜３０μｍにすると遮光効果が出やすい。
光源１９が点灯した際には第２の加飾層１０は第３の領域３において、第１の領域１との境界では第２の反射層５を透過して入射する光を遮光し、第１の領域１との境界から離れるに従って透過する光の光量を段階的に高くすることができる。
具体的には、第２の加飾層１０は、第３の領域のうち第１の領域との境界における全光線透過率が０％以上２０％以下であって、第３の領域の中央の部分における全光線透過率が４０％以上１００％以下であり、全光線透過率が境界から中央に向かって段階的に変化するように積層する。
第１の領域と第３の領域の境界における第２の加飾層１０の全光線透過率が２０％より大きい場合、第２の反射層５の透過光を遮光できず、第１の領域と第３の領域との間のコントラストが低下し、立体感が損なわれるという弊害があるからである。また、第３の領域の中央部分における第２の加飾層の全光線透過率が４０％未満の場合、第３の領域で視認される透過光の輝度が低く、第３の領域（グラデーション）を美しく表示することができないからである。
【００６５】
第２の加飾層１０の観察者２１側に第３の加飾層１１が積層される。第３の加飾層１１はスクリーン印刷によって設けることができる。特にスクリーン印刷に限定することなく、凸版印刷、フレキソ印刷、オフセット印刷、グラビア印刷、インクジェット等を用いることができる。
第３の加飾層１１には銀色インキを用いるのが望ましいが、半透過性であれば銀色インキに限らない。厚みに制限は無いが、１０μｍ〜３０μｍにすると隠蔽効果が出やすい。
また、第３の加飾層１１の全光線透過率は４％以上４０％以下であることが望ましい。
第３の加飾層１１の全光線透過率が４％未満の場合、第２の加飾層１０の透過光が視認できず、光源点灯時に第３の領域３の絵柄が視認できないという弊害があるからである。一方、第３の加飾層１１の全光線透過率が４０％より大きい場合、光源非点灯時に第２の加飾層１０を隠蔽することができず、光源の点灯時、非点灯時の第３の領域３の絵柄の違いを表現することができないという弊害があるからである。
光源１９の非点灯時には第２の加飾層１０を第３の加飾層１１が隠蔽する。一方で、光源１９が点灯した際には、光量が段階的に変わる第２の加飾層１０の透過光を第３の加飾層１１は透過させるため、光源１９の非点灯時との外観の違いを出すことができる。
【００６６】
第３の加飾層１１の観察者２１側にスピン柄など任意のパターンの透明加飾層１２が積層される。
透明加飾層１２はスクリーン印刷によって設けることができる。特にスクリーン印刷に限定することなく、凸版印刷、フレキソ印刷、オフセット印刷、グラビア印刷、インクジェット等を用いることができる。
透明加飾層１２は透明インキを用いるのが望ましい。厚みに制限は無いが、５０μｍ〜１００μｍにすると視認しやすい。
また、透明加飾層１２の全光線透過率は８０％以上１００％以下であることが望ましい。
透明加飾層１２の全光線透過率が８０％未満である場合、光源点灯時の第３の領域３の輝度が低下し、視認を妨げてしますという弊害があるからである。
光源１９の非点灯時、点灯時ともに、第３の加飾層１１を下地として透明加飾層１２が見えることにより第３の領域３を美しく表現される。
【００６７】
支持体４の光源側の第１の領域１に第１の反射層７を設ける。
第１の反射層７の材料、作成方法、効果は、前述した第１の実施形態の場合と同様である。
【００６８】
第１の領域において、第１の反射層７の光源１９側に第１の遮光層８を積層する。
第１の遮光層８の材料、作成方法、効果は、前述した第１の実施形態の場合と同様である。
【００６９】
第１の遮光層８が積層されていない第２及び第３の領域において、支持体４の光源側に光透過性着色層９を設ける。特に第２及び第３の領域だけに限定することはなく、製造上の利便性を考慮し、図１（Ｂ）と同様に、第１の遮光層８も含め全体に積層されてもかまわない。
また、第２の領域２の内部に文字等意匠形状が設けられる場合、光透過性着色層９の文字等意匠形状に対応する部分よりやや大きい領域に開口部を設けることができる。
なお、この開口部は必ず設けなければならないわけではなく、デザイン上、光源点灯時の文字等意匠形状が光透過性着色層９の色に依存する必要があるのであれば開口部を設ける必要はない。
光透過性着色層９の材料、作成方法、効果は、前述した第１の実施形態の場合と同様である。
【００７０】
支持体４の観察者２１側の第１の領域１の一部に第４の加飾層１３を設ける。
なお、図３において、積層の順序、種類をわかりやすくするため、加飾層１３を第１、第２の加飾層と同じ段に表示しているが、実際は図１（Ｂ）と同様に支持体４の観察者２１側の面に積層されている。
第４の加飾層１３の材料、作成方法、効果は、前述した第１の実施形態の場合と同様である。
【００７１】
光源１９からの光は積層シート１８の入射面より光透過性着色層９に入射する。光透過性着色層９を透過した光は第１の遮光層８及び第１の反射層７が積層されていない第２、第３の領域から支持体４を通過し、第２の反射層５に入射した光の一部が第２の反射層５で反射される。その光は支持体４内を透過し、第１の反射層７で反射され、支持体４内を観察者２１に向けて抜ける。
光源１９からの直接光は第２の領域２においては文字意匠形状の部分を除き、第１の加飾層６で遮光され、第１の領域１においては第１の遮光層８で遮光されるために視認されない。また、第３の領域３においては第１の領域１との境界付近では第２の加飾層１０の全光線透過率が低いために遮光され、第１の領域１との境界付近から離れるに従って第２の加飾層１０の全光線透過率が高くなっていくため、第３の加飾層１１に抜ける光の輝度が高くなる。第３の加飾層１１は半透過性であり、透明加飾層１２は透過性であるため第２の加飾層１０から第３の加飾層１１に入射した光は第３の加飾層１１と透明加飾層１２を透過して観察者から視認される。一方で光源１９の非点灯時には第３の領域３の色の階調変化がないために、光源の点灯、非点灯での違いからデザイン上の変化を出すことができる。
したがって、光源１９の点灯時には第１の領域１において、第２の領域２と第３の領域３を縁取りしたような間接光が認識されるため、第１の領域１に立体感が生じる。間接光の成分は、支持体４に拡散性を持たせたり、支持体４と遮光層の内側に光を散乱反射する層を設けたりすることで強くすることが出来る。また、同時に第３の領域３で光源１９の点灯、非点灯での階調変化の違いを表現することができる。
【００７２】
図４は、本発明の第４の実施形態に係る情報表示パネル用の積層シート１８をシート延在方向に垂直な面で切った断面図である。図４は積層の順序をわかりやすくするために各層を分離してあらわしたものであり、実際に積層された状態は、図２（Ｂ）と同様である。
図４に示すように、積層シート１８は、第１の領域１と、第１の領域１に隣接し且つ互いに離れた、第２の領域２、第３の領域３に分かれている。
積層シート１８の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図４において、観察者２１は支持体４の一方の面側から目視し、光源１９は支持体４の他方の面側に設置される。
支持体４の光源側の面の所定の領域に第１の反射層７、光透過性着色層９、第１の遮光層８が積層され、支持体４の観察者２１側の面の所定の領域に第２の反射層５、第１の加飾層６、第２の加飾層１０、第３の加飾層１１、透明加飾層１２、第４の加飾層１３が積層されている。
【００７３】
支持体４の構成、材料、作成方法、効果は、前述した第１の実施形態の場合と同様である。
【００７４】
支持体４の観察者２１側の面のうち、第２の領域２及び第３の領域３に第２の反射層５が積層される。
なお、前述したように第２、第３の領域と離れた他の領域をさらに設ける場合は、その領域にも反射層５が積層される。
第２の反射層５の材料、作成方法、効果は、前述した第１の実施形態の場合と同様である。
また、第２の領域２の内部に文字等意匠形状が設けられる場合、第２の反射層５において拡散反射されずに透過した光が後述する第１の加飾層６の開口部を抜けることにより、観察者２１から直接光として文字等意匠形状が視認される。
【００７５】
第２の領域２において第２の反射層５の観察者２１側の面に第１の加飾層６が積層される。
また、第２の領域２の内部に文字等意匠形状が設けたい場合には、第１の加飾層６に文字等意匠形状の開口部を設けてもよい。
なお、この開口部は必ず設けなければならないわけではなく、デザイン上、必要がある場合に設けるものである。
第１の加飾層６、の材料、作成方法、効果は、前述した第１の実施形態の場合と同様である。
【００７６】
第３の領域３において第２の反射層５の観察者２１側に第２の加飾層１０が積層される。
第２の加飾層１０は第１の領域１との境界で最も全光線透過率が低く遮光性を持ち、第１の領域１との境界から離れるに従い段階的に全光線透過率が高くなり光透過性を持つようになる。
第２の加飾層１０の材料、作成方法、効果は、前述した第３の実施形態の場合と同様である。
【００７７】
第２の加飾層１０の観察者２１側に第３の加飾層１１が積層される。
第３の加飾層１１の材料、作成方法、効果は、前述した第３の実施形態の場合と同様である。
【００７８】
第３の加飾層１１の観察者２１側にスピン柄など任意のパターンの透明加飾層１２が積層される。
透明加飾層１２の材料、作成方法、効果は、前述した第３の実施形態の場合と同様である。
【００７９】
支持体４の光源側の第１の領域１に第１の反射層７を設ける。
第１の反射層７の材料、作成方法、効果は、前述した第１の実施形態の場合と同様である。
【００８０】
第１の反射層７が積層されていない第２及び第３の領域において、支持体４の光源側に光透過性着色層９を設ける。特に第２及び第３の領域だけ限定することはなく、製造上の利便性を考慮し、図２（Ｂ）と同様に、第１の反射層７も含め全体に積層されてもかまわない。
また、第２の領域２の内部に文字等意匠形状が設けられる場合、光透過性着色層９の文字等意匠形状に対応する部分よりやや大きい領域に開口部を設けることができる。
なお、この開口部は必ず設けなければならないわけではなく、デザイン上、光源点灯時の文字等意匠形状が光透過性着色層９の色に依存する必要があるのであれば開口部を設ける必要はない。
光透過性着色層９の材料、作成方法、効果は、前述した第１の実施形態の場合と同様である。
【００８１】
支持体４の光源側の第２、第３の領域を含む領域に光透過性着色層９を積層後、第１の反射層７に対応する部分、即ち第１の領域１に第１の遮光層８を積層する。第１の遮光層８の材料、作成方法、効果は、前述した第１の実施形態の場合と同様である。
【００８２】
支持体４の観察者２１側の第１の領域１の一部に第４の加飾層１３を設ける。
なお、図４において、積層の順序、種類をわかりやすくするため、加飾層１３を第１、第２の加飾層と同じ段に表示しているが、実際は図２（Ｂ）と同様に支持体４の観察者２１側の面に積層されている。
第４の加飾層１３の材料、作成方法、効果は、前述した第１の実施形態の場合と同様である。
【００８３】
光源１９からの光は、積層シート１８の入射面のうち、第１の遮光層８が積層されていない第２、第３の領域から光透過性着色層９に入射する。
光透過性着色層９を透過した光は第１の反射層７が積層されていない第２、第３の領域から支持体４を通り、第２の反射層５に入射した光の一部が第２の反射層５で反射される。その光は支持体４内を透過し、第１の反射層７で反射され、支持体４内を観察者２１に向けて抜ける。
光源１９からの直接光は第２の領域２においては文字意匠形状の部分を除き、第１の加飾層６で遮光され、第１の領域１においては第１の遮光層８で遮光されるために視認されない。また、第３の領域３においては第１の領域１との境界付近では第２の加飾層１０の全光線透過率が低いために遮光され、第１の領域１との境界付近から離れるに従って第２の加飾層１０の全光線透過率が高くなっていくため、第３の加飾層１１に抜ける光の輝度が高くなる。第３の加飾層１１は半透過性であり、透明加飾層１２は透過性であるため第２の加飾層１０から第３の加飾層１１に入射した光は第３の加飾層１１と透明加飾層１２を透過して観察者から視認される。一方で光源１９の非点灯時には第３の領域３の色の階調変化がないために、光源の点灯、非点灯での違いからデザイン上の変化を出すことができる。
したがって、光源１９の点灯時には第１の領域１において、第２の領域２と第３の領域３を縁取りしたような間接光が認識されるため、第１の領域１に立体感が生じる。間接光の成分は、支持体４に拡散性を持たせたり、支持体４と遮光層の内側に光を散乱反射する層を設けたりすることで強くすることが出来る。また、同時に第３の領域３で光源１９の点灯、非点灯での階調変化の違いを表現することができる。
【００８４】
本発明に係る情報表示パネル２０は、前述した積層シート１８と光源１９を少なくとも備える。
光源１９は、ＬＥＤ光源や、エッジライト式光源と導光板からなる面光源が用いられる。
【００８５】
本発明に係る輸送機器は、例えば、自動車および飛行機等がある。輸送機器は、前述した情報表示パネル２０を少なくとも具備しており、例えば、情報表示パネル２０の観察者２１側に樹脂製カバーを備えた形で、速度計測器の表示パネル等に使用される。輸送機器の構造は一般的に用いられるものである。
【実施例１】
【００８６】
本発明の第１の実施例について図１の構成に沿って具体的に説明する。
支持体４として厚さｄのポリカーボネートの一方の面側にスクリーン印刷で白インキの第２の反射層５が第２の領域２及び第３の領域３に設けられ、黒インキの第１の加飾層６が第２の領域の第２の反射層５上に積層され、黒インキの第２の加飾層１０が第３の領域３の第２の反射層５上に配置され、黒インキの第４の加飾層１３が第１の領域１の支持体４上の一部に設けられる。また、支持体４の他方の面側の第１の領域１に白インキの第１の反射層７が設けられ、黒インキの第１の遮光層８が第１の反射層７上に積層され、第１の遮光層８が配置された後に、青インキの光透過性着色層９が第１の領域１、第２の領域２及び第３の領域３に設けられている。
そして、本発明の情報表示パネル２０の他方の面側に光源１９となる１，０００ｃｄ/ｍ２のＬＥＤ光源を置き、非点灯時と点灯時に一方の面側の観察者２１が目視した。
【００８７】
表１に図１の構成で、支持体４の厚さｄを１ｍｍ、第３の領域３の最も狭い部分の幅ｗ３を２０ｍｍとし、第１の領域１の最も広い部分の幅ｗ１と第２の領域２の最も狭い部分の幅ｗ２を変えた際のｗ２/ｗ１の計算結果及び光源１９の非点灯時の色と点灯時の第１の領域１における色及び第１の領域１と第２の領域２との境界部分の立体感を示す。
【００８８】
【表１】
0005609138.tif 000002
【００８９】
なお、立体感は目視による官能評価であり、評価が３以上で合格とする。
【００９０】
表１から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｗ２/ｗ１が０．１５以上である必要があることが確認できる。ｗ２/ｗ１が０．１５未満では第２の領域２が狭いために、第２の反射層５で拡散反射され第１の領域１に向かう光の輝度が低くなってしまうためと推測される。
【００９１】
表２に図１の構成で、支持体４の厚さｄを１ｍｍ、第２の領域２の最も狭い部分の幅ｗ２を２０ｍｍとし、第１の領域１の最も広い部分の幅ｗ１と第３の領域３の最も狭い部分の幅ｗ３を変えた際のｗ３/ｗ１の計算結果及び光源１９の非点灯時の色と点灯時の第１の領域１における色及び第１の領域１と第３の領域３の境界部分の立体感を示す。
【００９２】
【表２】
0005609138.tif 000003
【００９３】
表２から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｗ３/ｗ１が０．１５以上である必要があることが確認できる。ｗ３/ｗ１が０．１５未満では第３の領域３が狭いために、第２の反射層５で拡散反射され第１の領域１に向かう光の輝度が低くなってしまうためと推測される。
【００９４】
表３に図１の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体４の厚さｄとｗ２を変えた際のｄ×ｗ２の計算値及び光源１９の非点灯時の色と点灯時の第１の領域１における色及び第１の領域１と第２の領域２の境界部分の立体感を示す。なお、ｄは情報表示機器筺体内の空間的な設計上の制約を受けないようにするため、０．１０ｍｍ〜５．００ｍｍの範囲にしている。
【００９５】
【表３】
0005609138.tif 000004
【００９６】
表３から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｄ×ｗ２が１．００以上である必要があることが確認できる。ｄ×ｗ２が１．００未満では第２の反射層５で拡散反射された光が第２の領域２の支持体４で広がる範囲が狭く、第１の領域１に向かう光の輝度が低くなってしまうためと推測される。
【００９７】
表４に図１の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体４の厚さｄとｗ３を変えた際のｄ×ｗ３の計算値及び光源１９の非点灯時の色と点灯時の第１の領域１における色及び第１の領域１と第３の領域３の境界部分の立体感を示す。なお、ｄは情報表示機器筺体内の空間的な設計上の制約を受けないようにするため、０．１０ｍｍ〜５．００ｍｍの範囲にしている。
【００９８】
【表４】
0005609138.tif 000005
【００９９】
表４から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｄ×ｗ３が１．００以上である必要があることが確認できる。ｄ×ｗ３が１．００未満では第２の反射層５で拡散反射された光が第３の領域３の支持体４で広がる範囲が狭く、第１の領域１に向かう光の輝度が低くなってしまうためと推測される。
【実施例２】
【０１００】
本発明の第２の実施例について図２の構成に沿って具体的に説明する。
支持体４として厚さｄのポリカーボネートの一方の面側にスクリーン印刷で白インキの第２の反射層５が第２の領域２及び第３の領域３に設けられ、黒インキの第１の加飾層６が第２の領域の第２の反射層５上に積層され、黒インキの第２の加飾層１０が第３の領域３の第２の反射層５上に配置され、黒インキの第４の加飾層１３が第１の領域１の支持体４上の一部に設けられる。また、支持体４の他方の面側の第１の領域１に白インキの第１の反射層７が設けられ、第１の反射層７が配置された後に、青インキの光透過性着色層９が第１の領域１、第２の領域２及び第３の領域３に設けられ、光透過性着色層９が積層された後に、黒インキの第１の遮光層８が第１の反射層７に対応する部分に積層された。
そして、本発明の情報表示パネル２０の他方の面側に光源１９となる１，０００ｃｄ/ｍ２のＬＥＤ光源を置き、一方の面側の観察者２１が目視した。
【０１０１】
表５に図２の構成で、支持体４の厚さｄを１ｍｍ、第３の領域３の最も狭い部分の幅ｗ３を２０ｍｍとし、第１の領域１の最も広い部分の幅ｗ１と第２の領域２の最も狭い部分の幅ｗ２を変えた際のｗ２/ｗ１の計算結果及び光源１９の非点灯時の色と点灯時の第１の領域１における色及び第１の領域１と第２の領域２の境界部分の立体感を示す。
【０１０２】
【表５】
0005609138.tif 000006
【０１０３】
なお、立体感は目視による官能評価であり、評価が３以上で合格とする。
【０１０４】
表５から、第１の領域１において、各条件で光源１９の点灯時は青色が視認され、非点灯時の白色と異なることから、光源１９の点灯、非点灯により色の変化を表現できていることがわかる。また、第１の領域１で十分な立体感を得るためにはｗ２/ｗ１が０．１５以上である必要があることが確認できる。ｗ２/ｗ１が０．１５未満では第２の領域２が狭いために、第２の反射層５で拡散反射され第１の領域１に向かう光の輝度が低くなってしまうためと推測される。
【０１０５】
表６に図２の構成で、支持体４の厚さｄを１ｍｍ、第２の領域２の最も狭い部分の幅ｗ２を２０ｍｍとし、第１の領域１の最も広い部分の幅ｗ１と第３の領域３の最も狭い部分の幅ｗ３を変えた際のｗ３/ｗ１の計算結果及び光源１９の非点灯時の色と点灯時の第１の領域１における色及び第１の領域１と第３の領域３の境界部分の立体感を示す。
【０１０６】
【表６】
0005609138.tif 000007
【０１０７】
表６から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｗ３/ｗ１が０．１５以上である必要があることが確認できる。ｗ３/ｗ１が０．１５未満では第３の領域３が狭いために、第２の反射層５で拡散反射され第１の領域１に向かう光の輝度が低くなってしまうためと推測される。
【０１０８】
表７に図２の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体４の厚さｄとｗ２を変えた際のｄ×ｗ２の計算値及び光源１９の非点灯時の色と点灯時の第１の領域１における色及び第１の領域１と第２の領域２の境界部分の立体感を示す。なお、ｄは情報表示機器筺体内の空間的な設計上の制約を受けないようにするため、０．１０ｍｍ〜５．００ｍｍの範囲にしている。
【０１０９】
【表７】
0005609138.tif 000008
【０１１０】
表７から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｄ×ｗ２が１．００以上である必要があることが確認できる。ｄ×ｗ２が１．００未満では第２の反射層５で拡散反射された光が第２の領域２の支持体４で広がる範囲が狭く、第１の領域１に向かう光の輝度が低くなってしまうためと推測される。
【０１１１】
表８に図２の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体４の厚さｄとｗ３を変えた際のｄ×ｗ３の計算値及び光源１９の非点灯時の色と点灯時の第１の領域１における色及び第１の領域１と第３の領域３の境界部分の立体感を示す。なお、ｄは情報表示機器筺体内の空間的な設計上の制約を受けないようにするため、０．１０ｍｍ〜５．００ｍｍの範囲にしている。
【０１１２】
【表８】
0005609138.tif 000009
【０１１３】
表８から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｄ×ｗ３が１．００以上である必要があることが確認できる。ｄ×ｗ３が１．００未満では第２の反射層５で拡散反射された光が第３の領域３の支持体４で広がる範囲が狭く、第１の領域１に向かう光の輝度が低くなってしまうためと推測される。
【０１１４】
実施例１の表１〜表４とそれに対応する実施例２の表５〜表８は同じ結果となっている。これは光透過性着色層９が図１のように第１の遮光層８の後に積層されても、図２のように第１の反射層７の後に積層されても、第１の遮光層８の開口部に配置されるので効果が同じなのだと考えられる。
【実施例３】
【０１１５】
本発明の第３の実施例について図３の構成に沿って具体的に説明する。
支持体４として厚さｄのポリカーボネートの一方の面側にスクリーン印刷で白インキの第２の反射層５が第２の領域２及び第３の領域３に設けられ、黒インキの第１の加飾層６が第２の領域の第２の反射層５上に積層され、黒インキの第２の加飾層１０が第３の領域３の第２の反射層５上に配置され、半透過性の銀インキの第３の加飾層１１が第２の加飾層１０の上に積層され、透明インキでスピン柄を形成した透明加飾層１２が第３の加飾層１１の上に積層され、黒インキの第４の加飾層１３が第１の領域１の支持体４上の一部に設けられる。なお、第２の加飾層１０は第３の領域３と第１の領域１の境界付近の全光線透過率を０％とし、第１の領域１から離れるに従って段階的に全光線透過率が高くしていき、最も高い部分を９０％になるようにしている。
また、支持体４の他方の面側の第１の領域１に白インキの第１の反射層７が設けられ、黒インキの第１の遮光層８が第１の反射層７上に積層され、第１の遮光層８が配置された後に青インキの光透過性着色層９が第１の領域１、第２の領域２及び第３の領域３に設けられている。
そして、本発明の情報表示パネル２０の他方の面側に光源１９となる１，０００ｃｄ/ｍ２のＬＥＤ光源を置き、一方の面側の観察者２１が目視した。
【０１１６】
表９に図３の構成で、支持体４の厚さｄを１ｍｍ、第３の領域３の最も狭い部分の幅ｗ３を２０ｍｍとし、第１の領域１の最も広い部分の幅ｗ１と第２の領域２の最も狭い部分の幅ｗ２を変えた際のｗ２/ｗ１の計算結果及び光源１９の非点灯時の色と点灯時の第１の領域１における色及び第１の領域１と第２の領域２の境界部分の立体感を示す。
【０１１７】
【表９】
0005609138.tif 000010
【０１１８】
なお、立体感は目視による官能評価であり、評価が３以上で合格とする。
【０１１９】
表９から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｗ２/ｗ１が０．１５以上である必要があることが確認できる。ｗ２/ｗ１が０．１５未満では第２の領域２が狭いために、第２の反射層５で拡散反射され第１の領域１に向かう光の輝度が低くなってしまうためと推測される。
【０１２０】
表１０に図３の構成で、支持体４の厚さｄを１ｍｍ、第２の領域２の最も狭い部分の幅ｗ２を２０ｍｍとし、第１の領域１の最も広い部分の幅ｗ１と第３の領域３の最も狭い部分の幅ｗ３を変えた際のｗ３/ｗ１の計算結果及び光源１９の非点灯時の色と点灯時の第１の領域１における色及び第１の領域１と第３の領域３の境界部分の立体感を示す。
【０１２１】
【表１０】
0005609138.tif 000011
【０１２２】
表１０から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｗ３/ｗ１が０．１５以上である必要があることが確認できる。ｗ３/ｗ１が０．１５未満では第３の領域３が狭いために、第２の反射層５で拡散反射され第１の領域１に向かう光の輝度が低くなってしまうためと推測される。
【０１２３】
表１１に図３の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体４の厚さｄとｗ２を変えた際のｄ×ｗ２の計算値及び光源１９の非点灯時の色と点灯時の第１の領域１における色及び第１の領域１と第２の領域２の境界部分の立体感を示す。なお、ｄは情報表示機器筺体内の空間的な設計上の制約を受けないようにするため、０．１０ｍｍ〜５．００ｍｍの範囲にしている。
【０１２４】
【表１１】
0005609138.tif 000012
【０１２５】
表１１から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｄ×ｗ２が１．００以上である必要があることが確認できる。ｄ×ｗ２が１．００未満では第２の反射層５で拡散反射された光が第２の領域２の支持体４で広がる範囲が狭く、第１の領域１に向かう光の輝度が低くなってしまうためと推測される。
【０１２６】
表１２に図３の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体４の厚さｄとｗ３を変えた際のｄ×ｗ３の計算値及び光源１９の非点灯時の色と点灯時の第１の領域１における色及び第１の領域１と第３の領域３の境界部分の立体感を示す。なお、ｄは情報表示機器筺体内の空間的な設計上の制約を受けないようにするため、０．１０ｍｍ〜５．００ｍｍの範囲にしている。
【０１２７】
【表１２】
0005609138.tif 000013
【０１２８】
表１２から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｄ×ｗ３が１．００以上である必要があることが確認できる。ｄ×ｗ３が１．００未満では第２の反射層５で拡散反射された光が第３の領域３の支持体４で広がる範囲が狭く、第１の領域１に向かう光の輝度が低くなってしまうためと推測される。
【０１２９】
実施例１の表１〜表４とそれに対応する実施例３の表９〜表１２は同じ結果となっている。これは実施例３における第２の加飾層１０の第３の領域３と第１の領域１の境界付近の全光線透過率が０％のためにその部分が完全に遮光され、第１の領域１との輝度差が実施例１の場合と同様なことから立体感が出るためである。さらに、実施例３では第２の加飾層１０の第３の領域３と第１の領域１の境界付近から離れるほど全光線透過率が高くなるために第３の領域３において透明加飾層１２を透過した直接光が視認されるために、実施例１より意匠性が高まる。
【実施例４】
【０１３０】
本発明の第３の実施例について図３の構成に沿って具体的に説明する。
支持体４として厚さｄのポリカーボネートの一方の面側にスクリーン印刷で白インキの第２の反射層５が第２の領域２及び第３の領域３に設けられ、黒インキの第１の加飾層６が第２の領域の第２の反射層５上に積層され、黒インキの第２の加飾層１０が第３の領域３の第２の反射層５上に配置され、半透過性の銀インキの第３の加飾層１１が第２の加飾層１０の上に積層され、透明インキでスピン柄を形成した透明加飾層１２が第３の加飾層１１の上に積層され、黒インキの第４の加飾層１３が第１の領域１の支持体４上の一部に設けられる。なお、第２の加飾層１０は第３の領域３と第１の領域１の境界付近の全光線透過率を０％とし、第１の領域１から離れるに従って段階的に全光線透過率が高くしていき、最も高い部分を９０％になるようにしている。
また、支持体４の他方の面側の第１の領域１に白インキの第１の反射層７が設けられ、第１の反射層７が配置された後に、青インキの光透過性着色層９が第１の領域１、第２の領域２及び第３の領域３に設けられ、光透過性着色層９が配置された後に黒インキの第１の遮光層８が第１の反射層７に対応する部分に積層された。
そして、本発明の情報表示パネル２０の他方の面側に光源１９となる１，０００ｃｄ/ｍ２のＬＥＤ光源を置き、一方の面側の観察者２１が目視した。
【０１３１】
表１３に図４の構成で、支持体４の厚さｄを１ｍｍ、第３の領域３の最も狭い部分の幅ｗ３を２０ｍｍとし、第１の領域１の最も広い部分の幅ｗ１と第２の領域２の最も狭い部分の幅ｗ２を変えた際のｗ２/ｗ１の計算結果及び光源１９の非点灯時の色と点灯時の第１の領域１における色及び第１の領域１と第２の領域２の境界部分の立体感を示す。
【０１３２】
【表１３】
0005609138.tif 000014
【０１３３】
なお、立体感は目視による官能評価であり、評価が３以上で合格とする。
【０１３４】
表１３から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｗ２/ｗ１が０．１５以上である必要があることが確認できる。ｗ２/ｗ１が０．１５未満では第２の領域２が狭いために、第２の反射層５で拡散反射され第１の領域１に向かう光の輝度が低くなってしまうためと推測される。
【０１３５】
表１４に図４の構成で、支持体４の厚さｄを１ｍｍ、第２の領域２の最も狭い部分の幅ｗ２を２０ｍｍとし、第１の領域１の最も広い部分の幅ｗ１と第３の領域３の最も狭い部分の幅ｗ３を変えた際のｗ３/ｗ１の計算結果及び光源１９の非点灯時の色と点灯時の第１の領域１における色及び第１の領域１と第３の領域３の境界部分の立体感を示す。
【０１３６】
【表１４】
0005609138.tif 000015
【０１３７】
表１４から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｗ３/ｗ１が０．１５以上である必要があることが確認できる。ｗ３/ｗ１が０．１５未満では第３の領域３が狭いために、第２の反射層５で拡散反射され第１の領域１に向かう光の輝度が低くなってしまうためと推測される。
【０１３８】
表１５に図４の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体４の厚さｄとｗ２を変えた際のｄ×ｗ２の計算値及び光源１９の非点灯時の色と点灯時の第１の領域１における色及び第１の領域１と第２の領域２の境界部分の立体感を示す。なお、ｄは情報表示機器筺体内の空間的な設計上の制約を受けないようにするため、０．１０ｍｍ〜５．００ｍｍの範囲にしている。
【０１３９】
【表１５】
0005609138.tif 000016
【０１４０】
表１５から、第１の領域１において各条件で光源１９の点灯時は青色が視認され、非点灯時の白色と異なることから、光源１９の点灯、非点灯により色の変化を表現できていることがわかる。また、第１の領域１で十分な立体感を得るためにはｄ×ｗ２が１．００以上である必要があることが確認できる。ｄ×ｗ２が１．００未満では第２の反射層５で拡散反射された光が第２の領域２の支持体４で広がる範囲が狭く、第１の領域１に向かう光の輝度が低くなってしまうためと推測される。
【０１４１】
表１６に図４の構成で、第１の領域１の最も広い部分の幅ｗ１と第２の領域２の最も狭い部分の幅ｗ２及び第３の領域３の最も狭い部分の幅ｗ３において、ｗ２/ｗ１が１であり、ｗ３/ｗ１が１としたときに、支持体４の厚さｄとｗ３を変えた際のｄ×ｗ３の計算値及び光源１９の非点灯時の色と点灯時の第１の領域１における色及び第１の領域１と第３の領域３の境界部分の立体感を示す。なお、ｄは情報表示機器筺体内の空間的な設計上の制約を受けないようにするため、０．１０ｍｍ〜５．００ｍｍの範囲にしている。
【０１４２】
【表１６】
0005609138.tif 000017
【０１４３】
表１６から第１の領域１において、各条件で光源１９の点灯時は青色が視認され、非点灯時の白色と異なることから、光源１９の点灯、非点灯により色の変化を表現できていることがわかる。また、第１の領域１で十分な立体感を得るためにはｄ×ｗ３が１．００以上である必要があることが確認できる。ｄ×ｗ３が１．００未満では第２の反射層５で拡散反射された光が第３の領域３の支持体４で広がる範囲が狭く、第１の領域１に向かう光の輝度が低くなってしまうためと推測される。
【０１４４】
実施例３の表９〜表１２とそれに対応する実施例４の表１３〜表１６は同じ結果となっている。これは光透過性着色層９が図３のように第１の遮光層８の後に積層されても、図４のように第１の反射層７の後に積層されても、第１の遮光層８の開口部に配置されるので効果が同じなのだと考えられる。
【０１４５】
前記実施例の積層シート１８を用いた情報表示パネル２０において、光源１９を点灯させることにより、文字・絵柄等に相当する第１の領域１に立体感を生じさせるとともに、光源１９の点灯時と非点灯時とに色変化をつけて文字・絵柄を美しく表現することができた。
【０１４６】
１    第１の領域
２    第２の領域
３    第３の領域
４    支持体
５    第２の反射層
６    第１の加飾層
７    第１の反射層
８    第１の遮光層
９    光透過性着色層
１０  第２の加飾層
１１  第３の加飾層
１２  透明加飾層
１３  第４の加飾層
１８  積層シート
１９  光源
２０  情報表示パネル
２１  観察者
【図１】
0005609138.tif 000018
【図２】
0005609138.tif 000019
【図３】
0005609138.tif 000020
【図４】
0005609138.tif 000021